(57)【要約】【課題】  室内に正圧又は負圧がかかるような非常に大きな台風時であっても室内への漏水を防止でき且つ需要者の費用負担が安く済むサッシ用隙間塞ぎピースを提供する。【解決手段】  本発明のサッシ用隙間塞ぎピース１Ａは、硬質部１５と、軟質部１７とを備えており、硬質部１５は下枠３の内レール２３に上方から着脱自在に嵌める係合溝２１を有し、軟質部１７は硬質部１５の室外側に設けてあると共に、下枠３の上面３ａと竪枠５の見込み面５ａと外障子７の室内側面７ａとに圧着している。【選択図】      図１
2006249819.tif 000002
【特許請求の範囲】
【請求項１】
硬質部と、軟質部とを備え、硬質部は下枠の内レールに上方から着脱自在に嵌める係合溝を有し、軟質部は硬質部の室外側に設けてあると共に、下枠の上面と竪枠の見込み面と外障子の室内側面とに圧着することを特徴とするサッシ用隙間塞ぎピース。
【請求項２】
硬質部と、軟質部とを備え、硬質部は下枠の内レールに上方から着脱自在に嵌める係合溝を有し、軟質部は硬質部の室外側に設けてあると共に、下枠の上面と、内障子召合わせ框下部の見込み面と、外障子召合わせ框下部の室内側見込み面と、外障子下框の室内側面とに圧着することを特徴とするサッシ用隙間塞ぎピース。
【請求項３】
軟質部の見込み面が外障子下框の室内側面に当接する下枠タイト材の見込み面に当接することを特徴とする請求項１又は２に記載のサッシ用隙間塞ぎピース。
【請求項４】
硬質部と、軟質部とを備え、硬質部は竪枠側部と竪枠側部に連続する下枠側部とから成り、竪枠側部は室内側面が竪枠見付け壁の室外側面に当接し、下枠側部は室内側面が下枠見付け壁の室外側面に当接し、軟質部は硬質部の室外側に設けてあると共に、内障子戸当り框下部と、内障子下框の室内側面とに圧着することを特徴とするサッシ用隙間塞ぎピース。
【請求項５】
軟質部の見込み面は、内障子下框に当接する下枠タイト材の見込み面及び内障子戸当り框に当接する竪枠タイト材の見込み面に当接することを特徴とする請求項４に記載のサッシ用隙間塞ぎピース。
【発明の詳細な説明】
【技術分野】
【０００１】
本発明は、サッシにおける室内への漏水を防止するサッシ用隙間塞ぎピースに関する。
【背景技術】
【０００２】
一般に、サッシの場合は、召合わせの下の部分と戸当りの下の部分の漏水を防ぐために、特許文献１のように、召合わせには、風止め板とシールピースを取り付け、戸当りにはストッパーを位置させる構造としてある。
【０００３】
【特許文献１】特開２００１−３３６３６５号公報
【発明の開示】
【発明が解決しようとする課題】
【０００４】
しかし、非常に大きな台風時には、室内に正圧又は負圧がかかるので、特許文献１のように、風止め板とシールピースと戸当りストッパーを組み合わせた従来の技術では充分でなく、室内が漏水するという問題があった。
このような年に一度有るか無いかの特別な台風を考慮して、水密構造の高いサッシに改造したり、当初から水密構造の高いサッシを選択したのでは需要者が負担する費用が高くなるという問題がある。
【０００５】
そこで、本発明は、室内に正圧又は負圧がかかるような非常に大きな台風時であっても室内への漏水を防止でき且つ需要者の費用負担が安く済むサッシ用隙間塞ぎピースの提供を目的とする。
【課題を解決するための手段】
【０００６】
請求項１に記載の発明は、硬質部と、軟質部とを備え、硬質部は下枠の内レールに上方から着脱自在に嵌める係合溝を有し、軟質部は硬質部の室外側に設けてあると共に、下枠の上面と竪枠の見込み面と外障子の室内側面とに圧着することを特徴とする。
【０００７】
請求項２に記載の発明は、硬質部と、軟質部とを備え、硬質部は下枠の内レールに上方から着脱自在に嵌める係合溝を有し、軟質部は硬質部の室外側に設けてあると共に、下枠の上面と、内障子召合わせ框下部の見込み面と、外障子召合わせ框下部の室内側見込み面と、外障子下框の室内側面とに圧着することを特徴とする。
【０００８】
請求項３に記載の発明は、請求項１又は２に記載の発明において、軟質部の見込み面が外障子下框の室内側面に当接する下枠タイト材の見込み面に当接することを特徴とする。
【０００９】
請求項４に記載の発明は、硬質部と、軟質部とを備え、硬質部は竪枠側部と竪枠側部に連続する下枠側部とから成り、竪枠側部は室内側面が竪枠見付け壁の室外側面に当接し、下枠側部は室内側面が下枠見付け壁の室外側面に当接し、軟質部は硬質部の室外側に設けてあると共に、内障子戸当り框下部と、内障子下框の室内側面とに圧着することを特徴とする。
【００１０】
請求項５に記載の発明は、請求項４に記載の発明において、軟質部の見込み面は、内障子下框に当接する下枠タイト材の見込み面及び内障子戸当り框に当接する竪枠タイト材の見込み面に当接することを特徴とする。
【発明の効果】
【００１１】
請求項１に記載の発明によれば、サッシ用隙間塞ぎピースを装着するときには、障子を閉めた状態で、下枠の内レールに硬質部の係合溝を上から嵌めるだけで装着でき、装着が容易であると共にサッシに後付けが容易にできる。
軟質部は、下枠の上面と竪枠の見込み面と外障子の室内側面とに圧着しており、外障子戸当り下部に位置する下枠、竪枠、障子との三箇所全てで水密を図っているので、室内に正圧又は負圧がかかるような非常に大きな台風時であっても外障子の戸当りにおける漏水を防止できる。
サッシ用隙間塞ぎピースは、硬質部と軟質部とで構成されており且つ硬質部に下枠レールに嵌める溝を形成するだけであるから、安価に製造でき、需要者の費用負担が安く済む。
【００１２】
請求項２に記載の発明によれば、サッシ用隙間塞ぎピースを装着するときには、障子を閉めた状態で、下枠の内レールに硬質部の係合溝を上から嵌めるだけで装着でき、装着が容易であると共にサッシに後付けが容易にできる。
軟質部は、下枠の上面と、内障子召合わせ框下部の見込み面と、外障子召合わせ框下部の室内側見込み面と、外障子下框の室内側面とに圧着しており、召合わせ部に位置する下枠、内障子と外障子との各召合わせ框、及び外障子との４箇所全てで水密を図っているので、室内に正圧又は負圧がかかるような非常に大きな台風時であっても障子召合わせ下部における室内への漏水を防止できる。
サッシ用隙間塞ぎピースは、硬質部と軟質部とで構成されており且つ硬質部に下枠レールに嵌める溝を形成するだけであるから、安価に製造でき、需要者の費用負担が安く済む。
【００１３】
請求項３に記載の発明によれば、請求項１又は２に記載の発明と同様な作用効果を奏すると共に、軟質部は下枠のタイト材の見込み面に当接するので、軟質部材同士の当接により密着性が高まると共に下枠タイト材に連続したシールを図ることができ、更に室内への漏水防止に優れる。
【００１４】
請求項４に記載の発明によれば、サッシ用隙間塞ぎピースを装着するときには、障子を閉めた状態で、竪枠と下枠とが成す下コーナ部で内障子と枠の室内側見付け壁の間に嵌め込むだけで装着でき、サッシに後付けが容易にできる。下コーナ部における内障子と枠の室内側見付け壁との隙間は狭いので、この隙間にサッシ用隙間塞ぎピースを嵌め込むだけで装着できる。
軟質部は、内障子戸当り框下部と、内障子下框の室内側面とに圧着するので、室内に正圧又は負圧がかかるような非常に大きな台風時であっても、内障子戸当り下部における障子と枠との間から室内への漏水を防止できる。
【００１５】
請求項５に記載の発明によれば、請求項４に記載の発明と同様な作用効果を奏すると共に、軟質部は下枠のタイト材の見込み面と、竪枠のタイト材の見込み面とに当接するので軟質部材同士の当接により密着性が高まると共に下枠タイト材及び竪枠タイト材に連続したシールを図ることができ、更に漏水防止に優れる。
【００１６】
以下に、添付図面を参照して本発明の実施の形態を説明する。図１（ａ）は図５に示すサッシをＡ−Ａ位置で切断した断面図であり、（ｂ）は図５に示すサッシをＢ−Ｂ位置で切断した断面図であり、図２（ａ）は図５に示すサッシをＣ−Ｃ位置で切断した断面図であり、（ｂ）は図５に示すサッシをＥ−Ｅ位置で切断した断面図であり、図３（ａ）は図５に示すサッシをＦ−Ｆ位置で切断した断面図であり、（ｂ）は図５に示すサッシをＧ−Ｇ位置で切断した断面図であり、図４は図３に示すサッシ用隙間塞ぎピースの図であり、（ａ）は側面図であり、（ｂ）は正面図であり、図５は本実施の形態にかかるサッシ用隙間塞ぎピースを装着したサッシを室内側から見た正面図である。
図５に示すサッシ２には、第１実施の形態にかかるサッシ用隙間塞ぎピース（以下「第１サッシ用隙間塞ぎピース」という）１Ａと、第２実施の形態にかかるサッシ用隙間塞ぎピース（以下「第２サッシ用隙間塞ぎピース」という）１Ｂと、第３実施の形態にかかるサッシ用隙間塞ぎピース（以下「第３サッシ用隙間塞ぎピース」という）１Ｃとが用いられている。
サッシ２は引き違いサッシであり、下枠３及び竪枠（外障子戸当り側竪枠）５と、外障子７との間に第１サッシ用隙間塞ぎピース１Ａが装着してあり、外障子７の召合わせ框９と内障子１１の召合わせ框１９と下枠３との間に第２サッシ用隙間塞ぎピース１Ｂが装着してあり、下枠３及び竪枠（内障子戸当り側竪枠）１３と、内障子１１との間に第３サッシ用隙間塞ぎピース１Ｃが装着してある。
【００１７】
第１サッシ用隙間塞ぎピース１Ａは外障子７の戸当り下部における漏水防止を図るものであり、図１に示すように、硬質部１５と、軟質部１７とを備えている。硬質部１５は縦断面が略矩形であり、下面１５ａに係合溝２１を有し、室外側面１５ｂに軟質部１７が設けてある。尚、本実施の形態では上面１５ｃにも軟質部１７が設けてある。
硬質部１５は、ポリアミドであり、軟質部１７はポリウレタンであり、本実施の形態では軟質部１７は吸水性を有している。
硬質部１５の係合溝２１は下枠３の内レール２３に上方から着脱自在に嵌めるようになっている。
軟質部１７は、下枠３の上面３ａと竪枠５の見込み面５ａと外障子７の室内側面７ａとに圧着している。軟質部１７の下見込み面１７ａは、外障子用下枠タイト材２５の見込み面２５ａに当接している。外障子用下枠タイト材２５は、下枠３に取付けてあり、外障子７の室内側面７ａに当接するものである。また、軟質部１７の竪枠側見込み面１７ｂは、竪枠タイト材２７の見込み面２７ａにも当接している。
【００１８】
第１サッシ用隙間塞ぎピース１Ａの装着及び作用効果について説明する。
例えば、台風等の風雨の強いときに、サッシ２を閉めた後、第１サッシ用隙間塞ぎピース１Ａを装着する。第１サッシ用隙間塞ぎピース１Ａを装着するときには、外障子７及び内障子１１を閉めた状態で、下枠３の内レール２３に硬質部１５の係合溝２１を上から嵌める。尚、下枠３に内障子１１用の障子ストッパーがある場合には、障子ストッパーをずらすか取り外してから、サッシ用隙間塞ぎピース１Ａを装着する。
本実施の形態によれば、第１サッシ用隙間塞ぎピース１Ａは内レール２３に上から嵌めるだけで装着でき、サッシに後付けが容易にできる。
装着後に軟質部１７は、下枠３の上面３ａと竪枠５の見込み面５ａと外障子７の室内側面７ａとに圧着しており、障子戸当り側に位置する下枠３、竪枠５、外障子７との三箇所全てで圧着しているので、室内に正圧又は負圧がかかるような非常に大きな台風時であっても、外障子の戸当り下部における室内への漏水を防止できる。
サッシ用隙間塞ぎピース１Ａは、硬質部１７と軟質部１５とで構成されており且つ硬質部１５に下枠レール２３に嵌める係合溝２１を形成するだけであるから、安価に製造でき、需要者の費用負担が安く済む。
軟質部１７は外障子用下枠タイト材２５の見込み面２５ａに当接するので、軟質部材同士の当接により密着性が高まると共に外障子用下枠タイト材２５に連続したシールを図ることができ、更に室内への漏水防止に優れる。
軟質部１７は、竪枠タイト材２７の見込み面２７ａにも当接するので、軟質部材同士の当接により密着性が高まると共に竪枠タイト材２７に連続したシールを図ることができ、更に室内への漏水防止に優れる。
軟質部１７は、本実施の形態では吸水性を有しているので、室内側に入り込もうとした雨水等は軟質部１７が保水して、室内への漏水を阻止することができる。
【００１９】
次に、第２サッシ用隙間塞ぎピース１Ｂについて説明する。尚、以下の説明において、第１サッシ用隙間塞ぎピース１Ａと同一の作用効果を奏する部分には同一の符号を付することにする。
第２サッシ用隙間塞ぎピース１Ｂは、障子召合わせ下部における室内への漏水防止を図るものであり、図２に示すように、硬質部１５と、軟質部１７とを備えている。硬質部１５は縦断面が略矩形であり、下面１５ａに係合溝２１を有し、室外側面１５ｂに軟質部１７が設けてある。尚、本実施の形態では上面１５ｃにも軟質部１７が設けてある。
硬質部１５の係合溝２１は下枠３の内レール２３に上方から着脱自在に嵌めるようになっている。
軟質部１７は、下枠３の上面３ａと、内障子１１の召合わせ框２９の下部見込み面２９ａと、外障子７の召合わせ框９の下部室内側見込み面９ａと、外障子７の下框３１の室内側面３１ａとに圧着している。また、軟質部１７の下見込み面１７ａは、外障子用下枠タイト材２５の見込み面２５ａに当接している。
【００２０】
第２サッシ用隙間塞ぎピース１Ｂの装着及び作用効果について説明する。第２サッシ用隙間塞ぎピース１Ｂはサッシ２を閉めた後、外障子７と内障子１１との召合わせ部に装着する。第２サッシ用隙間塞ぎピース１Ｂを装着するときには、内障子１１の召合わせ框２９の見込み面２９ａに隣接した位置で、下枠３の内レール２３に硬質部１５の係合溝２１を上から嵌め、軟質部１７の室外側面１７ｃを外障子下框３１の室内側面３１ａに圧着すると共に内障子側面１７ｄを内障子召合わせ竪２９の下部見込み面２９ａと、外障子召合わせ框９の下部室内側見込み面９ａとに圧着する。
本実施の形態によれば、第２サッシ用隙間塞ぎピース１Ｂは内レール２３に上から嵌めるだけで装着でき、サッシに後付けが容易にできる。
第２サッシ用隙間塞ぎピース１Ｂの軟質部１７は、下枠３の上面３ａと、内障子召合わせ框２９の下部見込み面２９ａと、外障子召合わせ框９の下部の室内側見込み面９ａと、外障子下框３１の室内側面３１ａとに圧着しており、召合わせ部に位置する下枠３、内障子召し合せ框２９と外障子召合わせ框９、及び外障子下框３１の室内側面３１ａとの４箇所全てに圧着しているので、室内に正圧又は負圧がかかるような非常に大きな台風時であっても召合わせ下部における室内への漏水を防止できる。
軟質部１７は下枠タイト材２５の見込み面２５ａに当接するので、軟質部材同士の当接により密着性が高まると共に下枠タイト材２５に連続したシールを図ることができ、更に漏水防止に優れる。
軟質部１７は、吸水性を有しているので、室内側に入り込もうとした雨水等は軟質部１７が保水して、室内への漏水を阻止することができる。
【００２１】
次に、第３サッシ用隙間塞ぎピース１Ｃについて説明する。
第３サッシ用隙間塞ぎピース１Ｃは、内障子の戸当り下部における室内への漏水防止を図るものであり、図３及び図４に示すように、硬質部１５と、軟質部１７とを備えており、内障子１１と内障子戸当り側の竪枠１３との下コーナ部に装着するものである。硬質部１５の室外側面１５ｂには軟質部１７が設けてある。
硬質部１５は、竪枠１３に沿う竪枠側部３３と下枠３に沿う下枠側部３５とを有し、正面図が略Ｌ字形状を成している。竪枠側部３３は室内側面３３ａが竪枠見付け壁３７の室外側面３７ａに当接し、下枠側部３５は室内側面３５ａが下枠見付け壁３９の室外側面３９ａに当接している。
軟質部１７は内障子戸当り側の竪框１３の下部と、内障子１１の下框４１の室内側面４１ａとに圧着している。
軟質部１７の下見込み面１７ａは、内障子用下枠タイト材４７の見込み面４７ａ及び竪枠１３に取付けてあり内障子１１の戸当り框４３の下部に当接する竪枠タイト材４５の見込み面４５ａに当接している。内障子用下枠タイト材４７は下枠３に取付けてあり且つ内障子下框４１に当接するタイト材である。
【００２２】
第３サッシ用隙間塞ぎピース１Ｃの装着及び作用効果について説明する。第３サッシ用隙間塞ぎピース１Ｃはサッシ２を閉めた後、内障子１１の戸当り框４３及び下框４１が成すコーナと、竪枠見付け壁３７と下枠見付け壁３９とが成すコーナとの間に圧入により装着する。下コーナ部における内障子１１と枠の室内側見付け壁３７、３９との隙間は狭いので、この隙間にサッシ用隙間塞ぎピース１Ｃを嵌め込むだけで装着できる。
第３サッシ用隙間塞ぎピース１Ｃによれば、竪枠１３と下枠３とが成す下コーナ部で内障子１１と枠の室内側見付け壁３７、３９との間に嵌め込むだけで装着でき、サッシ２に後付けが容易にできる。
軟質部１７は、内障子戸当り枠１３の下部と、内障子下框４１の室内側面４１ａとに圧着するので、室内に正圧又は負圧がかかるような非常に大きな台風時であって内障子戸当り下部における室内への漏水を防止できる。
軟質部１７は内障子用下枠タイト材４７の見込み面４７ａと、竪枠タイト材４５の見込み面４５ａとに当接するので軟質部材同士の当接により密着性が高まると共に内障子用下枠タイト材４７及び竪枠タイト材４５に連続したシールを図ることができ、更に漏水防止に優れる。
軟質部１７は、吸水性を有しているので、室内側に入り込もうとした雨水等は軟質部１７が保水して、室内への漏水を阻止することができる。
【００２３】
本発明は、上述した実施の形態に限らず、本発明の要旨を逸脱しない範囲で種々変形可能である。
例えば、硬質部１５はポリアミドに限らず、塩化ビニル樹脂等の部材でもよく、軟質部１７はポリウレタンに限らず、ゴム等の他の部材であってもよい。
また、軟質部１７は吸水性を有することに限らず、吸水性のない他の軟質性部材であってもよい。
各第１〜第３サッシ用隙間塞ぎピース１Ａ、１Ｂ、１Ｃが使用されるサッシ２は、２枚戸の引違い戸に限らず、３枚戸の引違い戸等であってもよく、戸の枚数は制限されない。
各第１〜第３サッシ用隙間塞ぎピース１Ａ、１Ｂ、１Ｃは一緒に用いることに限らず、必要に応じて第１サッシ用隙間塞ぎピース１Ａのみを用いてもよいし、第２サッシ用隙間塞ぎピース１Ｂのみを用いてもよいし、第３サッシ用隙間塞ぎピース１Ｃのみを用いてもよく、或いはこれらのうちの任意の２つの組み合わせにより用いるものであってもよい。
【図面の簡単な説明】
【００２４】
【図１】（ａ）は図５に示すサッシをＡ−Ａ位置で切断した断面図であり、（ｂ）は図５に示すサッシをＢ−Ｂ位置で切断した断面図である。
【図２】（ａ）は図５に示すサッシをＣ−Ｃ位置で切断した断面図であり、（ｂ）は図５に示すサッシをＥ−Ｅ位置で切断した断面図である。
【図３】（ａ）は図５に示すサッシをＦ−Ｆ位置で切断した断面図であり、（ｂ）は図５に示すサッシをＧ−Ｇ位置で切断した断面図である。
【図４】図３に示すサッシ用隙間塞ぎピースの図であり、（ａ）は側面図であり、（ｂ）は正面図である。
【図５】本実施の形態にかかるサッシ用隙間塞ぎピースを装着したサッシを室内側から見た正面図である。
【符号の説明】
【００２５】
１Ａ    第１サッシ用隙間塞ぎピース
１Ｂ    第２サッシ用隙間塞ぎピース
１Ｃ    第３サッシ用隙間塞ぎピース
３      下枠
３ａ    上面
５      竪枠（外障子戸当り側）
５ａ    見込み面
７      外障子
７ａ    室内側面
９      召合わせ框（外障子側）
９ａ    室内側見込み面
１１    内障子
１３    竪枠（内障子戸当り側）
１５    硬質部
１５ａ  下面
１７    軟質部
１７ａ  下見込み面
１７ｂ  見込み面
２１    係合溝
２３    内レール
２５    外障子用下枠タイト材
２５ａ  見込み面
２７    竪枠タイト材（内障子戸当り側）
２９    召合わせ框（内障子）
２９ａ  見込み面
３１    下框（外障子）
３１ａ  室内側面
３３    竪枠側部
３５    下枠側部
３７    竪枠見付け壁
３９    下枠見付け壁
４１    内障子下框
４１ａ  室内側面
４５    竪枠タイト材（外障子戸当り側）
４５ａ  見込み面
４７    内障子用下枠タイト材
４７ａ  見込み面
【図１】
2006249819.tif 000003
【図２】
2006249819.tif 000004
【図３】
2006249819.tif 000005
【図４】
2006249819.tif 000006
【図５】
2006249819.tif 000007